(57)【要約】【課題】【解決手段】  洪水防御及びその他の目的用の障壁を、しばしば砂袋を用いて構築する。これらの障壁の強度には限界があり、本発明はこの問題に取り組もうとしている。本発明は、砂袋の層間に配置した砂袋を一緒に保持するのに役立つ単一の射出成形物としての連結部を提供する。この連結部は、可撓性アーム（１１）によって連結した２つの硬質三角形エンドプレート（４）及び（５）を有する。エンドプレートは、砂袋の布地を容易に貫通するが、引き抜くことが困難であるように、返しを有するように形成した突起スパイク（６）が設けられている。使用に際しては、各プレート（４）及び（５）のスパイクがが隣接する袋に固定されるように、各連結部を砂袋の層間に配置する。従って、障壁の袋が互いに保持され、障壁内のあらゆる凹凸がアーム（１１）の可撓性によって調整される。スロット（１４）及び突起（１５）は、大きなサイズの砂袋を使用する場合、必要とされる複数の連結部を互いに連結する。【選択図】図３
2008514839.tif 000002
【特許請求の範囲】
【請求項１】
互いに積み上げた充填した袋で形成した障壁であって、連結部が、前記袋を互いに保持するための先の尖った突起を有し、前記障壁を強化する障壁において；各連結部が、比較的硬質で、スパイク付の袋保持部材と、前記スパイク付保持部材を連結する比較的可撓性のあるコネクタと、を有することを特徴とする障壁。
【請求項２】
請求項１に記載の障壁において、各連結部が、袋の層間に位置し、裏表両面にその上下の袋を貫通するスパイクを有していることを特徴とする障壁。
【請求項３】
請求項１又は２に記載の障壁が、前記袋の底層の下の地面の上にある繋ぎ材と、この地面にこれらの繋ぎ材を連結する地面との繋ぎ材と、を具えることを特徴とする障壁。
【請求項４】
請求項１又は２に記載の障壁において、前記スパイクにとげが付いていることを特徴とする障壁。
【請求項５】
請求項１乃至４のいずれか１項に記載の障壁において、各袋保持部材が、スパイク付プレートを規定することを特徴とする障壁。
【請求項６】
請求項５に記載の障壁において、前記プレートが合成プラスチック材料から射出成形されたものであることを特徴とする障壁。
【請求項７】
請求項６に記載の障壁において、各繋ぎ材が合成プラスチック材料の単一射出物として、形成されていることを特徴とする障壁。
【請求項８】
積み上げられた建築単位で形成した障壁を強化するための可撓性連結部において、前記連結部が、可撓性コネクタによって連結された２枚のプレートを具え、各プレートが対向する面から延在する突起を有することを特徴とする可撓性連結部。
【請求項９】
壁又は障壁を形成する個々の建築単位を連結するための繋ぎ材であって、前記連結部が、隣接する建築材料に打ち込むスパイクを担持する２つの比較的幅が広く硬質の終端部と；前記終端部を連結する比較的狭く可撓性のあるコネクタと；を有することを特徴とする連結部。
【請求項１０】
壁又は障壁を形成する個々の建築単位を連結するための繋ぎ材であって、前記連結部が、前記壁又は障壁の建築材料に固定するためのスパイクを規定する連結部において、前記連結部が、隣接する同様の連結部と相互連結して、より大きな連結部を形成することを特徴とする連結部。
【発明の詳細な説明】
【技術分野】
【０００１】
本発明は、壁や障壁の構築に関し、具体的には、砂又はその他の粒子状材料で充填したバッグ又は袋から作られる壁や障壁の構築に関する。このような障壁は、緊急洪水防御活動に、敵の発砲に対する防衛用の軍事環境において、制御された爆発の影響を封じるために、モータスポーツイベントの観客を守るために、及び多くのその他の目的のために非常に有効である。
【０００２】
この袋は、一般的に粗い麻布又は合成プラスチック等の織物から作られており、障壁が構築される場所で得られる砂、又はその他の粒状の材料が充填されている。時に、袋は、水中での障壁の構築用に、砂／セメント混合物で充填されている。本発明は、上記のような環境のどこでも有用である可能性を有する。
【０００３】
充填した袋で構築した障壁は、非常に効果的であり、素早く構築することができる。しかしながら、独立したユニットで形成しており、相互に接続されていないので、障壁の強度には限度がある。水中で使用する砂／セメント混合物で充填した袋でさえ、このように脆弱であり、セメントを設置する前に崩壊することがある。本発明は、構築速度についての利益を依然として保持する一方で、これらの障壁の強度を如何に改善するかを考えてなされた。
【０００４】
砂袋の層の間に有刺鉄線を用いて、構造物を安定化することが、米国特許明細書第５９３４０２７号で提案されているが、この技術は、有益である一方で、有刺鉄線が袋をしっかりつかまないので、効果が限られている。更に、有刺鉄線は、扱いが困難であり、全方位に曲がりやすいので、多くの場合に十分に支持することができない。
【０００５】
特許明細書第ＷＯ００／６１８８０号に記載されている別の提案では、砂袋間にスパイク付プレートを使用している。この技術は、地面が完全に平坦であり、充填した袋が、すべて同じ大きさ及び形状であることが保証される場合に有効である。しかしながら、この明細書に記載されているプレートは、隣接した袋が、真に規則的で均一に並んで置かれている場合にのみ効果的である。
【０００６】
この問題を解決するための別の提案は、独国特許明細書第１０２４６５８２号に記載されており、ここでは、鎖を袋に取り付けて互いに連結し、袋がバラバラにならないようにした構成を記載している。この技術は、いくらかの支援が必要である。しかしながら、鎖を互いに連結することは、緊急事態では、貴重な時間を浪費してしまうであろう。また、鎖が教えるまで、鎖の必然的な緩みが、妨げとなるものなく袋の位置を変えてしまうであろう。もう一つの不利益は、特別に作った袋が必要であることである。
【０００７】
しかし、この問題に取り組む別の以前の試みは、英国特許明細書第２３２６４２８号に記載されており、これは砂袋の壁の全周に鎖を巻き、きつく引いてこれらを一緒に保持するシステムである。この技術は、規定された直線形状を有する特別な袋にのみ適用可能であるように見え、この意図は、非緊急事態に、永久的な、又は半永久的な構造物を構築することである。
【０００８】
本発明の第１の態様によれば、互いに上に積み重ねた充填した袋と繋ぎ材から形成した障壁が提供されており、連結部は、袋を互いに保持するための先の尖った突起を有して、障壁を強化する。前記繋ぎ材が、個々の砂袋、及びスパイクの付いている保持部材を連結する、比較的可撓性のあるコネクタを係合するように構成されている、比較的硬質で、スパイク付の袋保持部材を有することを特徴とする。
【０００９】
従って、本発明を用いて、砂袋の配置の不完全な規則性を調整するのに必要な可撓性を与える一方で、第ＷＯ００／６１８８０号の特許明細書に記載されているようなデバイスの利益を与えることができる。
【００１０】
各繋ぎ材は、好ましくは、表裏両面にスパイクを有し、最も良好な位置に配置して隣接する袋を橋渡しする。その他の袋を繋ぎ材の上に置くと、袋の重量で、布を通してスパイクを圧迫する。
【００１１】
代替の構築物では、連結部は永久的に袋に取り付けられているか、又は袋と一体的に形成されている。例えば、適切なスパイクを有するパネル又はストリップは、ステッチ（ｓｔｉｔｃｈｉｎｇ）、ステープル（ｓｔａｐｌｉｎｇ）、又は接着剤によって永久的に袋に取り付けることができる。しかしながら、この変形例は、特定の目的の袋が必要であるので、好ましくない。
【００１２】
所望の度合の可撓性を得るために、好ましくは、連結部は、比較的薄く、従って可撓性のあるステムによって連結された２つのスパイク付パネル又はプレートの形状をしている。従って、本発明の第２の態様によれば、積み上げた建築単位（例えば、充填した袋）で形成した障壁を強化するための連結部が提供されており、連結部が、可撓性コネクタによって連結した２つのプレートを具え、各プレートが対向する面から延在する突起を有することを特徴とする。
【００１３】
別の方法で表されるように、本発明は、壁又は障壁を形成する個々の建築単位を連結するための連結部を提供し、この連結部は、隣接する建築材料を固定するためのスパイクを支える２つの比較的幅が広く硬質の終端部と；当該終端部を連結する比較的幅が狭く可撓性を有するコネクタと；を有することを特徴とする。
【００１４】
パネル又はプレート及び連結コネクタは、金属、又は異なる材料の組み合わせを使用することが可能であるが、合成プラスチック材料の単一射出成形製造物によってすべて規定されることができる。例えば、効果的な代替構築物は、長さの短いナイロンコードの対向する端部に圧着した金属性のスパイクを付けたプレートからできている。
【００１５】
好ましくは、スパイクにはとげが付いていることが好ましく、砂袋の布から撤去することが、貫通するよりも困難である。連結部が合成プラスチック材料から作られる場合、適切なとげを、射出形成プロセスの一部として容易に形成することができる。
【００１６】
時として、標準の砂袋よりも大きいものが使用され、標準サイズの連結部が適切ではない場合がある。この理由のために、連結部は、同様の繋ぎ材に容易に取り付けて、その長さ及び／又は幅を拡張できるように構成することが好ましい。この方法で、多数の連結部を互いに連結して砂袋間にコネクタライン又はネットワークを形成することができる。
【００１７】
このように、本発明の別の態様によれば、壁又は障壁を形成する個々の建築単位を連結する連結部が提供され、この連結部は、壁又は障壁の隣接する材料に打ち込むためのスパイクを隣接する同様の連結部と相互連結して、より大きな連結部を形成することを特徴とする。
【００１８】
添付の図面を参照して、本発明を実施する一の方法の例を、例示によって説明する。
【００１９】
まず、図１を参照すると、緊急の洪水防御の目的のための従来方法と同様に、図に示す障壁は、砂を満たした織布でできた砂袋１で構成されている。構築中に、連結部の層２（後述する）が地面に置かれ、スチールスパイク３を用いて、適所に固定される。次いで、図に示すように、各連結部が互いに重なり合うように袋１を置く。各袋の層を置いた後に、繋ぎ材２を配置して連結部の下で２つの隣接する袋を互いに橋渡しする。
【００２０】
図２に示される代替の構成では、一の連結部を各袋の上に置いて、上にある一対の袋を橋渡ししている。最終的な効果は、全く同じである。
【００２１】
ここで、図３及び４を参照すると、各連結部２は、再利用した合成プラスチック材料の単一ピースとして射出成形される。これは、２つの硬質の三角形エンドプレート４及び５を有する。各プレートは、両面から突出しているスパイク６の配列を有し、各スパイクは楕円断面を有し、この楕円の主軸は、連結部の直線軸に整列している。これらのスパイクの１つを図５に詳細に示す。図５は、サック１の織布を突き抜けるように構成した鋭利なとがった端部７を示している。凹部８が、各スパイクに形成されている。この凹部は、連結部の中心を向いており、袋の織布をスパイクを下側を切り取って突き抜けた後に、確実に保持する返し９を規定している。切り欠き８は射出形成プロセス中に、ロッドによって射出形成した下側プレート上に形成される。また、このロッドは、ホール１０を形成する。ホール１０は、地面との連結部３を受けるのに用いられる。
【００２２】
エンドプレート４及び５を連結しているのは可撓性ステム１１である。プレートと比較すると、比較的幅が狭い（約２２ｍｍ幅）が、このステムは、１トンを超える負荷に耐えられるものが示されている一方、顕著な可撓性を有しており、図１及び２に示すように、連結部が砂袋の層間の不規則境界面と一致できる。
【００２３】
三角形プレート４には、各々が狭部１３と広部１４を有するスロット１２が設けられている。プレート５は、図４に最もよく見られる相補的な突起１５を有しており、この各突起は、狭部１６と広部１７を有する。一の連結部を別の同一の連結部に対して傾けることによって、突起の広部をスロットの広部に挿入することができる。次いで、互いに離れる方向に連結部を引っぱることによって、突起の狭部がスロットの狭部に係止し、図６に示されるような大きな砂袋を使用するための大きなサイズの連結部を形成する。また、スロット１２は、ステム１１にも設けられており、連結部（図６で切り欠けで示される）を互いに直角に接続することができる。
【００２４】
車輪付掘削機を使用して従来の砂袋の壁を押す単純なテストでは、この壁はすぐに崩壊した。図２に示すような壁に連結部を取り付けて行った全く同様のテストでは、壁は無傷のままであり、掘削機の車輪は効果なく空転した。
【００２５】
もちろん、プレート３の三角形の形は別の形に置き換えることができ、添付の特許請求の範囲内で、多くの別のデザインのバリエーションが可能であることは既に明らかであろう。また、本発明に従って構築した連結部の使用方法にも、多くのバリエーションがある。例えば、一の端部を、常設壁構造中に恒常的に構築することができ、他端は、連続的に構成された拡張部内へ連結できるように突出させることができる。
【００２６】
このような拡張部は一時的に、砂袋で構成することができる；又は、石材で永久的に構築するようにしてもよい。また、本発明による連結部は、従来の煉瓦の連結部に似た方法で使用することができ、その可撓性によって、煉瓦又はブロックの様々な層のレベルのバリエーションを調整できる。
【００２７】
デザイン及び使用のバリエーションを使用するどのようなものでも、単純で便利で高価でない方法で、本発明によって、達成するべき障壁の強度を顕著に増加することができると考えられる。また、砂袋構造物においては、より少ない数の袋を使用することができ、従って、搬送上の問題、貯蔵の必要性及びコストを低減する。袋の数を低減することによって、砂袋構造物が洪水防御用等の緊急時に必要とされるこれらの状況で、臨界集合時間のアドバンテージを得ることができる。
【図面の簡単な説明】
【００２８】
【図１】図１は、層に配置し、本発明に従って構築された連結部で強化した砂袋で形成した洪水障壁の縦長手方向断面を示す。
【図２】図２は、図１と同様であるが、異なる構成で配置した連結部を示す。
【図３】図３は、上から見たときの連結部の斜視図を示す。
【図４】図４は、図３と同様であるが、下から見たときの連結部を示す。
【図５】図５は、連結部のスパイクの１つの詳細な斜視図を示す。
【図６】図６は、同一の連結部がどのように互いに連結するかを示す。
【符号の説明】
【００２９】
参照数字のリスト
１．砂袋
２．連結部
３．地面との連結部
４．三角形プレート
５．三角形プレート
６．スパイク
７．ポイント
８．凹部
９．返し部
１０．ホール
１１．ステム
１２．スロット
１３．スロットの狭部
１４．スロットの広部
１５．突起
１６．突起の狭部
１７．突起の広部
１８．開口
１９．中央開口
【図１】
2008514839.tif 000003
【図２】
2008514839.tif 000004
【図３】
2008514839.tif 000005
【図４】
2008514839.tif 000006
【図５】
2008514839.tif 000007
【図６】
2008514839.tif 000008
【国際調査報告】
2008514839.tif 000009
2008514839.tif 000010